(57)【要約】  システム及び方法が本明細書に開示され、これは、電子デバイスをその無菌包装から取り外すことなく、かつ電子デバイスの無菌性を維持しつつ、無菌包装電子デバイスとの無線給電及び／又は無線通信を可能にし得る。一部の実施形態では、電力トランスミッタを有する基地局が、例えば、導電性連結、容量性連結、又は超音波連結を使用して、電子デバイスの電力レシーバに電力を無線伝送する。基地局又は他の外部デバイスはまた、電子デバイスを無線でプログラム又は問い合わせるためにも使用され得る。当該システムと共に使用するためのバッテリ充電回路及びスイッチング回路もまた、開示される。
2019510450.tif 000002
【特許請求の範囲】
【請求項１】
システムであって、
電子デバイスであって、無線電力レシーバ、及び前記電子デバイスの位置又は配向を検出するように構成されたセンサを有する、電子デバイスと、
無菌容器であって、無菌デバイスが前記無菌容器によって完全に囲まれるように、前記電子デバイスが配置されている、無菌容器と、
無線電力トランスミッタを有する基地局であって、前記電力トランスミッタが、前記無菌容器を通して、前記電子デバイスの前記無線電力レシーバに電力を伝送するように構成されている、基地局と、を備える、システム。
【請求項２】
前記電子デバイスは、器具及びインプラントのうちの少なくとも一方を備える、請求項１に記載のシステム。
【請求項３】
前記無菌容器は、前記電力レシーバに対して位置決めされた図形マークを含み、それにより、前記無菌容器の前記図形マークが、前記基地局の図形マークと整列されたとき、前記電力レシーバが、前記電力トランスミッタと整列される、請求項１に記載のシステム。
【請求項４】
前記基地局は、前記電力トランスミッタに対して位置決めされる凹部を含み、それにより、前記無菌容器が前記凹部に着座されたとき、前記電力トランスミッタが、前記電力レシーバと整列される、請求項１に記載のシステム。
【請求項５】
前記無菌容器は、前記電力レシーバを前記無菌容器に対して定位置に維持するように構成されている、請求項１に記載のシステム。
【請求項６】
前記無菌容器は、前記電子デバイスが配設されている内側ブリスタパックと、前記内側ブリスタパックが配設されている外側ブリスタパックと、前記外側ブリスタパックが配設されている外箱と、を備える、請求項１に記載のシステム。
【請求項７】
前記電子デバイスは、前記電子デバイスが前記電力レシーバによって給電される第１の動作モードと、前記電子デバイスが内部バッテリによって給電される第２の動作モードとの間で切り替えるように構成されたスイッチを含む、請求項１に記載のシステム。
【請求項８】
前記スイッチは、前記電子デバイスが前記無菌容器から取り外されたとき、自動的に前記第１の動作モードから前記第２の動作モードに切り替えるように構成されている、請求項７に記載のシステム。
【請求項９】
前記基地局は、医療データを前記電子デバイスの通信インターフェースに無線送信するように構成された通信インターフェースを含み、前記医療データが、患者特有データ、手術計画、外科的矯正情報、及びデバイス較正情報のうちの少なくとも１つを含む、請求項１に記載のシステム。
【請求項１０】
前記電子デバイスは、デバイスデータを前記基地局の通信インターフェースに無線送信するように構成された通信インターフェースを含み、前記デバイスデータが、デバイス識別情報、デバイス診断情報、及びデバイス充電レベル情報のうちの少なくとも１つを含む、請求項１に記載のシステム。
【請求項１１】
前記電力トランスミッタは、前記電力レシーバの超音波トランスデューサで受信される超音波を発生させて、前記基地局から前記電子デバイスに電力を無線伝送するように構成された超音波トランスデューサを備える、請求項１に記載のシステム。
【請求項１２】
前記電力トランスミッタは、一次コイルを備え、前記一次コイルは、前記一次コイルと前記電力レシーバの二次コイルとの間に磁界を発生させて、前記基地局から前記電子デバイスに電力を無線伝送するように構成されている、請求項１に記載のシステム。
【請求項１３】
前記電力トランスミッタは、電極を備え、前記電極は、前記電極と前記電力レシーバの電極との間に電界を発生させ、前記基地局から前記電子デバイスに電力を無線伝送するように構成されている、請求項１に記載のシステム。
【請求項１４】
前記電力レシーバは、前記電力レシーバで受信されたＡＣ信号を整流し、かつ前記信号を前記電子デバイスのバッテリと並列に配線された前記電子デバイスのコンデンサに印加して、前記バッテリを充電する、全波整流器を備える、請求項１に記載のシステム。
【発明の詳細な説明】
【技術分野】
【０００１】
無菌包装されたデバイスの無線給電又はそれとの無線通信システム及び方法が本明細書に開示される。
【背景技術】
【０００２】
電子デバイスが外科的処置又は他の医療処置において使用されることは、ますます一般的になっている。電子デバイスは、この状況で様々な有用な利点を提供することができるが、これはまた、一定の課題をもたらし得る。
【０００３】
例えば、内部バッテリによって給電される電子デバイスは、バッテリが使用前に充電されることを一般に必要とする。しかしながら、バッテリは、デバイスが棚に置かれて、処置で使用されることを待つ間に、部分的に又は完全に放電され得る。医療処置中にバッテリを充電することは、望ましくない遅延をもたらし、処置の流れを中断させ得る。また、電子デバイスの無菌性を維持しつつ、電子デバイスのバッテリを充電することも困難である。高容量バッテリを有する電子デバイスを備えることによってこの問題を最小化する試みは、電子デバイスがより大きく及び／又はより重くなることを結果としてもたらす。より大きなデバイスは、処置中にデバイスを操作するために利用可能な空間が制限され得るので、一般的に望ましくない。同様に、より重いデバイスは、付加された重量が外科医の疲労の一因となり得るか、又はデバイスの運動及び位置決めを細かく制御する能力を低下させ得るので、一般的に望ましくない。
【０００４】
更なる例として、一部の電子デバイスは、患者特有又は処置特有のデータ若しくは命令を有するプログラミングを必要とする。使用前にデバイスをプログラミングするステップは、医療処置を長引かせ得るか、又は処置の流れを中断させ得る。プログラミングステップは、バッテリを更に放電し得、上記の問題を悪化させる。また、無菌電子デバイスの場合において、その無菌性を維持しつつ、デバイスをプログラムすることは、困難である。
【０００５】
別の例として、一度、電子デバイスが無菌化される、及び／又は無菌容器内に包装されると、無菌包装を開封することなく、試験、較正、識別などを一般に行うことができない。
【発明の概要】
【課題を解決するための手段】
【０００６】
システム及び方法が本明細書に開示され、これは、電子デバイスをその無菌包装から取り外すことなく、かつ電子デバイスの無菌性を維持しつつ、無菌包装電子デバイスとの無線給電及び／又は無線通信を可能にし得る。一部の実施形態では、電力トランスミッタを有する基地局が、例えば、導電性連結、容量性連結、又は超音波連結を使用して、電子デバイスの電力レシーバに電力を無線伝送する。基地局又は別の外部デバイスはまた、電子デバイスを無線でプログラム又は問い合わせるためにも使用され得る。当該システムと共に使用するためのバッテリ充電回路及びスイッチング回路もまた、開示される。
【０００７】
一部の実施形態では、外科的方法は、外科用電子デバイスの電力レシーバを基地局の電力トランスミッタと整列させることと、電子デバイスが配設される無菌容器を通して電力トランスミッタから電力レシーバに電力を無線伝送することと、無線電力の受信に際して、基地局との通信を自動的に開始することと、医療データを基地局から電子デバイスに無線通信することと、を含む。
【０００８】
外科用電子デバイスは、器具及びインプラントのうちの少なくとも一方を含み得る。
【０００９】
電力レシーバを整列させることは、基地局上に形成された図形マークを、無菌容器上に形成された対応する図形マークと整列させることを含み得る。
【００１０】
電力レシーバを電力トランスミッタと整列させることは、無菌容器を基地局内に画定された凹部内に位置決めすることを含み得る。
【００１１】
無菌容器は、電力レシーバを無菌容器に対して定位置に維持するように構成され得る。
【００１２】
無菌容器は、電子デバイスが配設されている内側ブリスタパック、内側ブリスタパックが配設されている外側ブリスタパック、及び外側ブリスタパックが配設されている外箱を含み得る。
【００１３】
方法は、デバイスが使用の準備ができているとき、バッテリ電力に切り替えることを含み得る。
【００１４】
この切り替えることは、電子デバイスが記無菌容器から取り外されたとき、自動的に起こり得る。
【００１５】
医療データは、患者特有データ、手術計画、外科的矯正情報、及びデバイス較正情報のうちの少なくとも１つを含み得る。
【００１６】
方法は、デバイスデータを電子デバイスから基地局に通信することを更に含み得る。
【００１７】
デバイスデータは、デバイス識別情報、デバイス診断情報、及びデバイス充電レベル情報のうちの少なくとも１つを含み得る。
【００１８】
電力を伝送することは、電子デバイスのバッテリを充電するために有効であり得る。
【００１９】
電力を伝送することは、基地局の超音波トランスデューサを駆動して、電子デバイスの超音波トランスデューサで受信される超音波を発生させることを含み得る。
【００２０】
電力を伝送することは、電力トランスミッタの一次コイルと電力レシーバの二次コイルとの間で磁界を発生させることを含み得る。
【００２１】
電力を伝送することは、電力トランスミッタの電極と電力レシーバの電極との間で電界を発生させることを含み得る。
【００２２】
電力トランスミッタは、光源を含み得、電力を伝送することは、光源から無菌容器を通して電子デバイスの光電池に光を方向付けることを含み得る。
【００２３】
方法は、当該伝送ステップ及び通信ステップの後に、無菌容器を開封することと、外科的処置で電子デバイスを使用することと、を含み得る。
【００２４】
電子デバイスは、電子デバイスの位置又は配向を検出するように構成されたセンサを含み得る。
【００２５】
方法は、電力レシーバで受信されたＡＣ信号を全波整流器で整流することと、電子デバイスのバッテリと並列に配線された電子デバイスのコンデンサに信号を印加して、バッテリを充電することと、を含み得る。
【００２６】
方法は、外科的処置中に捕捉された測定値又は他のデータを、外科的処置が実施された後に、電子デバイスから基地局に無線通信することを含み得る。
【００２７】
一部の実施形態では、システムは、無線電力レシーバ、及び電子デバイスの位置又は配向を検出するように構成されたセンサを有する、電子デバイスと、無菌容器であって、無菌デバイスが無菌容器によって完全に囲まれるように、電子デバイスが配置されている、無菌容器と、無線電力トランスミッタを有し、無線電力トランスミッタが、無菌容器を通して電子デバイスの無線電力レシーバに電力を伝送するように構成されている基地局と、を含む。
【００２８】
電子デバイスは、器具及びインプラントのうちの少なくとも一方を含み得る。
【００２９】
無菌容器は、電力レシーバに対して位置決めされた図形マークを含み得、それにより、無菌容器の図形マークが、基地局の図形マークと整列されたとき、電力レシーバが、電力トランスミッタと整列される。
【００３０】
基地局は、電力トランスミッタに対して位置決めされる凹部を含み得、それにより、無菌容器が凹部に着座されたとき、電力トランスミッタが、電力レシーバと整列される。
【００３１】
無菌容器は、電力レシーバを無菌容器に対して定位置に維持するように構成され得る。
【００３２】
無菌容器は、電子デバイスが配設されている内側ブリスタパック、内側ブリスタパックが配設されている外側ブリスタパック、及び外側ブリスタパックが配設されている外箱を含み得る。
【００３３】
電子デバイスは、電子デバイスが電力レシーバによって給電される第１の動作モードと、電子デバイスが内部バッテリによって給電される第２の動作モードとの間で切り替えるように構成されたスイッチを含み得る。
【００３４】
スイッチは、電子デバイスが無菌容器から取り外されたとき、自動的に第１の動作モードから第２の動作モードに切り替えるように構成され得る。
【００３５】
基地局は、医療データを電子デバイスの通信インターフェースに無線送信するように構成された通信インターフェースを含み得、医療データは、患者特有データ、手術計画、外科的矯正情報、及びデバイス較正情報のうちの少なくとも１つを含む。
【００３６】
電子デバイスは、デバイスデータを基地局の通信インターフェースに無線送信するように構成された通信インターフェースを含み得、デバイスデータは、デバイス識別情報、デバイス診断情報、及びデバイス充電レベル情報のうちの少なくとも１つを含む。
【００３７】
電力トランスミッタは、電力レシーバの超音波トランスデューサで受信される超音波を発生させて、基地局から電子デバイスに電力を無線伝送するように構成された超音波トランスデューサを含み得る。
【００３８】
電力トランスミッタは、一次コイルを含み得、この一次コイルは、一次コイルと電力レシーバの二次コイルとの間に磁界を発生させて、基地局から電子デバイスに電力を無線伝送するように構成されている。
【００３９】
電力トランスミッタは、電極を含み得、この電極は、電極と電力レシーバの電極との間に電界を発生させ、基地局から電子デバイスに電力を無線伝送するように構成されている。
【００４０】
電力レシーバは、電力レシーバで受信されたＡＣ信号を整流する全波整流器を含み得、電子デバイスのバッテリと並列に配線された電子デバイスのコンデンサに信号を印加してバッテリを充電する。
【００４１】
本発明は、特許請求の範囲に記載されるシステム及び方法を更に提供する。
【図面の簡単な説明】
【００４２】
本発明は、以下の詳細な説明を添付の図面と併せて検討することで、より完全な理解がなされるであろう。
【図１】電子デバイスと無線給電又は無線通信するためのシステムの断面側面図である。
【図２】開構成で示される、電子デバイス用の無菌包装の斜視図である。
【図３】電子デバイス用の基地局及び無菌包装の上面図である。
【図４】電子デバイスと基地局の概略図である。
【図５】誘導性無線給電システムの概略回路図である。
【図６】容量性無線給電システムの概略回路図である。
【図７】超音波無線給電システムの概略回路図である。
【図８】バッテリ充電回路の概略回路図である。
【図９】第１の構成におけるスイッチング回路の概略回路図である。
【図１０】第２の構成における図９のスイッチング回路の概略回路図である。
【発明を実施するための形態】
【００４３】
システム及び方法が本明細書に開示され、これは、電子デバイスをその無菌包装から取り外すことなく、かつ電子デバイスの無菌性を維持しつつ、無菌包装電子デバイスとの無線給電及び／又は無線通信を可能にし得る。一部の実施形態では、電力トランスミッタを有する基地局が、例えば、導電性連結、容量性連結、又は超音波連結を使用して、電子デバイスの電力レシーバに電力を無線伝送する。基地局又は別の外部デバイスはまた、電子デバイスを無線でプログラム又は問い合わせるためにも使用され得る。当該システムと共に使用するためのバッテリ充電回路及びスイッチング回路もまた、開示される。
【００４４】
本明細書で開示するシステム及び方法の構造、機能、製造、及び使用の原理が総括的に理解されるように、特定の例示的実施形態をこれから説明する。これらの実施形態の１つ又は２つ以上の実施例が、添付の図面に示されている。当業者であれば、本明細書で具体的に説明され、かつ添付の図面に例示されるシステム及び方法は、非限定的な例示的実施形態であること、並びに本発明の範囲は特許請求の範囲によってのみ定義されることが理解されるであろう。１つの例示的な実施形態に関連して例示又は説明される特徴は、他の実施形態の特徴と組み合わせることができる。このような修正及び変形は、本発明の範囲内に含まれるものとする。
【００４５】
図１は、電子デバイスと無線給電又は無線通信するための例示的なシステム１００を図示する。システム１００は、対応する電力レシーバを有する電子デバイス１０４に電力を無線送信するように構成された電力トランスミッタを有する基地局１０２を概して含む。以下に詳述されるように、誘導性システム、容量性システム、及び超音波システムを含む、様々なシステムが、電子デバイスを無線給電するために用いられ得る。基地局はまた、電子デバイスの対応する通信ユニットと無線通信するための通信ユニットも含み得る。したがって、基地局は、プログラミング情報を電子デバイスに送信し、電子デバイスから診断情報若しくは識別情報を受信し、又は他の方式で電子デバイスと通信し得る。
【００４６】
電子デバイス１０４は、無菌容器１０６内で無菌化及び／又は包装され得る。電子デバイスと周囲の環境との間で無菌バリアを維持するための様々な容器のうちのいずれも使用され得ることが理解されるであろう。容器１０６は、流体密、気密、及び／又は液密であり得る。無菌容器１０６は、例えば、電子デバイスが無菌容器によって画定された、密閉され密封された容積内に配設されるように、電子デバイス１０４を完全に囲むか又は収容するように構成され得る。一部の実施形態では、無菌容器１０６は、生体組織によって形成されていない。無菌容器１０６は、電子デバイス１０４の最外側の筐体から分離かつ別個であり得る。
【００４７】
図示された実施形態では、無菌容器１０６は、内側ブリスタパック１０８、外側ブリスタパック１１０、及び外箱１１２を含む。外箱１１２は、一般的には無菌ではなく、医療処置での電子デバイス１０４の使用につながる電子デバイス１０４の一般的な出荷及び取り扱いのために使用される。例示的な外箱は、厚紙又は紙で形成される。ブリスタパック１０８、１１０は、閉じた内容積を画定するように蓋に接合又は接着されるトレイを各々含む。トレイ及び蓋は、プラスチック又は箔を含む、様々な材料のうちのいずれからも形成され得る。外側ブリスタパック１１０の内部は、無菌であり、一方で外側ブリスタパックの外部は、一般に無菌ではない。内側ブリスタパック１０８は、無菌現場で取り扱うことができるように、外部が無菌である。内側ブリスタパック１０８は、その中に収容される電子デバイス１０４のように、内部も無菌である。使用中、外箱１１２は、通常、取り外され、電子デバイス１０４は、内側ブリスタパック１０８及び外側ブリスタパック１１０内で医療処置のために段階化される。外側ブリスタパック１１０は、その後、開封され、無菌内側ブリスタパック１０８が、無菌現場に投入される。最後に、内側ブリスタパック１０８が、無菌現場内で開封され、その中に収容された無菌電子デバイス１０４が、処置での使用のために取り外される。
【００４８】
一部の実施形態（例えば、以下に説明される誘導性システム及び容量性システム）では、電力伝送効率を最大化するためにトランスミッタとレシーバとの間の正確な整列を維持することが重要であり得る。整列を容易化するために、基地局１０２は、外周リム又は他の表面凹部若しくは突起１１４を含み得る。これらの整列特徴物の幾何学的形状は、基地局１０２が使用される電子デバイス１０４の無菌包装１０６の幾何学的形状に対応するように選択され得る。無菌包装１０６は、例えば、図２に示されるように、その中に収容された電子デバイス１０４を無菌包装に対して定位置に維持するように構成された内部バッフル又は切欠き１１６を有し得る。したがって、基地局１０２によって画定された輪郭内に無菌包装１０６を単純に配置することは、トランスミッタ及びレシーバが正確に整列されることを確実にし得る。代替的に、又は追加的に、電子デバイス１０４又はその無菌包装１０６は、ユーザによって基地局１０２上の対応する図形マーク１２０と整列され得る図形マーク１１８を含み得ることで、トランスミッタ及びレシーバが整列されることを確実にする（例えば、図３に示されるように）。
【００４９】
電子デバイスは、様々な形態を採り得る。例示的な電子デバイスは、インプラント、外科用器具、診断用器具、耐久性医療機器等を含む。電子デバイスは、その全体の参照によって本明細書に組み込まれる、２０１４年８月２８日に出願され、「ＳＹＳＴＥＭＳ  ＡＮＤ  ＭＥＴＨＯＤＳ  ＦＯＲ  ＩＮＴＲＡＯＰＥＲＡＴＩＶＥＬＹ  ＭＥＡＳＵＲＩＮＧ  ＡＮＡＴＯＭＩＣＡＬ  ＯＲＩＥＮＴＡＴＩＯＮ」と題された米国特許出願第１４／４７１，１２０号に説明されたタイプの外科用電子モジュールであるか、又はこれを含み得、当該モジュールは、本明細書の教示に従って適合される。
【００５０】
例示的な電子デバイス１０４が、図４に概略的に図示される。示されるように、電子デバイス１０４は、プロセッサ１２２、メモリ１２４、電源１２６、通信インターフェース１２８、及び電力レシーバ１３０を含み、これらのうちのいずれか１つ又は２つ以上が互いに通信され得る。電子デバイス１０４はまた、ディスプレイ、ボタン若しくは他のユーザインターフェース要素、及び／又はセンサ（例えば、患者の生理学的パラメータを検知するための、電子デバイスの位置及び配向を検知するための、又は電子デバイスのいくつかの他のパラメータを検知するための）等の図４に示されない他の特徴も含み得る。例示的なセンサは、加速度計、ジャイロセンサ、地磁気センサ、並びに位置決めシステムと通信するための超音波送受信機、電磁送受信機、及び／又は赤外線送受信機、更に温度センサ、圧力センサ、歪みセンサ、及びバイオセンサを含み得る。
【００５１】
プロセッサ１２２は、マイクロコントローラ、マイクロコンピュータ、プログラマブルロジックコントローラ（programmable logic controller、ＰＬＣ）、フィールドプログラマブルゲートアレイ（field-programmable gate array、ＦＰＧＡ）、特定用途向け集積回路（application specific integrated circuit、ＡＳＩＣ）、当該技術分野でコンピュータとして一般的に言及される集積回路、及び他のプログラマブル回路を含み得、これらの用語は、本明細書では互換的に使用される。プロセッサ１２２は、例えば、メモリ１２４内に記憶された命令を実行するか、又はセンサから出力されるか若しくは通信インターフェース１２８を介して受信されるデータに基づいて、計算若しくは評価を実施することによって、電子デバイス１０４の動作を制御するように構成され得る。
【００５２】
プロセッサ１２２は、メモリ１２４に連結され得、これは、ランダムアクセスメモリ（random access memory、ＲＡＭ）、読み出し専用メモリ（read-only memory、ＲＯＭ）、フラッシュメモリ、非一時的コンピュータ可読記憶媒体等を含み得る。メモリ１２４は、電子デバイス１０４の機能を実装するために、プロセッサ１２２による実行のための命令を記憶し得る。メモリ１２４はまた、センサにより検知された情報、プロセッサ１２２によって実施された計算結果、又は外部デバイスから通信インターフェース１２８を介して受信された情報も記憶し得る。
【００５３】
電源１２６は、デバイス１０４の様々な電子部品に電力を提供するように構成され得る。電源１２６は、リチウムイオンバッテリ若しくは当該技術分野で既知の他のバッテリであり得る内部バッテリ、又はコンデンサアレイ等の他の蓄電デバイスを含み得る。
【００５４】
通信インターフェース１２８は、外部デバイスから情報を受信するか、又は外部デバイスに情報を送信するように構成され得る。例えば、通信インターフェース１２８は、基地局１０２、又は他の外部デバイスとの双方向通信を可能にし得る。通信インターフェース１２８は、無線（例えば、近距離通信（near-field communication、ＮＦＣ）、Ｗｉ−Ｆｉ、Ｂｌｕｅｔｏｏｔｈ、Ｂｌｕｅｔｏｏｔｈ  ＬＥ、ＺｉｇＢｅｅ等）又は有線（例えば、ＵＳＢ若しくはイーサネット）であり得る。ＮＦＣの場合、例えば、電子デバイス１０４は、ＩＳＯ／ＩＥＣ  １４４４３、ＦｅｌｉＣａ、ＩＳＯ／ＩＥＣ  １８０９２、及びＮＦＣフォーラムによって定義されたもの等の１つ又は２つ以上の標準規格を使用して、別のデバイス、例えば、基地局１０２又は第２の電子デバイスの無線送受信機と通信するように構成された無線送受信機を含み得る。通信インターフェース１２８は、所望される通信範囲を提供するように選択され得る。一部の実施形態では、Ｂｌｕｅｔｏｏｔｈ（例えば、５〜１０メートルの範囲を有するクラス２  Ｂｌｕｅｔｏｏｔｈ）は、電子デバイス１０４が通信しているデバイス、例えば、基地局１０２からある程度離れたままであることを可能にし、一方で同時に手術中に使用されることが好ましくない他の電子デバイスが不必要に関与されないように通信範囲を制限するように、通信インターフェース１２８のために使用され得る。
【００５５】
通信インターフェース１２８は、電力レシーバ１３０と統合されるか、又はそれに連結され得、それにより、情報が、電子デバイス１０４によって受信及び／若しくは送信される無線電力信号内に埋め込まれるか、又はコード化され得る。例えば、上方は、周波数変調、周波数領域多重化、周波数偏移変調、振幅変調、位相変調、アナログ若しくはデジタル変調技術、及び／又はそれらの組み合わせを使用して、無線電力信号内の情報をコード化することによって、電子デバイス１０４に、又はそれから通信され得る。通信インターフェース１２８は、電力信号から情報を抽出するか、又は電力信号に情報を埋め込むためのフィルタ若しくは他の回路要素を含み得る。
【００５６】
電力レシーバ１３０は、例えば、図５〜図７に関して以下に詳述されるように、基地局１０２から無線電力を受信するように構成され得る。
【００５７】
上記の構成要素の内の任意の１つ又は２つ以上が、電子デバイス１０４から省略され得ること、及び電子デバイスが、図４に示されるものよりも多くの構成要素を含み得ることが理解されるであろう。別の例示的な実施形態では、電子デバイス１０４は、モータ、電源、及び電力レシーバを含み得る。
【００５８】
例示的な基地局１０２がまた、図４に概略的に示される。図示された実施形態によって示されるように、基地局１０２は、プロセッサ１３２、メモリ１３４、電源１３６、通信インターフェース１３８、及び電力トランスミッタ１４０を含み、これらのうちのいずれか１つ又は２つ以上が互いに通信され得る。基地局１０２はまた、ディスプレイ、ボタン、又は他のユーザインターフェース要素等の、図４に示されない他の特徴も含み得る。
【００５９】
プロセッサ１３２は、マイクロコントローラ、マイクロコンピュータ、プログラマブルロジックコントローラ（ＰＬＣ）、フィールドプログラマブルゲートアレイ（ＦＰＧＡ）、特定用途向け集積回路（ＡＳＩＣ）、当該技術分野でコンピュータとして一般的に言及される集積回路、及び他のプログラマブル回路を含み得、これらの用語は、本明細書では互換的に使用される。プロセッサ１３２は、例えば、メモリ１３４内に記憶された命令を実行するか、又は通信インターフェース１３８を介して受信されるデータに基づいて、計算若しくは評価を実施することによって、基地局１０２の動作を制御するように構成され得る。
【００６０】
プロセッサ１３２は、メモリ１３４に連結され得、これは、ランダムアクセスメモリ（ＲＡＭ）、読み出し専用メモリ（ＲＯＭ）、フラッシュメモリ、非一時的コンピュータ可読記憶媒体等を含み得る。メモリ１３４は、基地局１０２の機能を実装するために、プロセッサ１３２による実行のための命令を記憶し得る。メモリ１３４はまた、プロセッサ１３２によって実施された計算結果、又は電子デバイス１０４から通信インターフェース１３８を介して受信された情報も記憶し得る。
【００６１】
電源１３６は、基地局１０２の様々な電子部品に電力を提供するように構成され得る。電源１３６は、リチウムイオンバッテリ若しくは当該技術分野で既知の任意の他のバッテリ、コンデンサアレイ等の他の蓄電デバイス、又はアダプタを介して、例えば、ＵＳＢポート、ＡＣアダプタ／変換器、壁面充電器等を介して、基地局１０２に連結された外部電源を含み得る。
【００６２】
通信インターフェース１３８は、外部デバイスから情報を受信するか、又は外部デバイスに情報を送信するように構成され得る。例えば、通信インターフェース１３８は、電子デバイス１０４、又は他の外部デバイスとの双方向通信を可能にし得る。通信インターフェース１３８は、無線（例えば、近距離通信（ＮＦＣ）、Ｗｉ−Ｆｉ、Ｂｌｕｅｔｏｏｔｈ、Ｂｌｕｅｔｏｏｔｈ  ＬＥ、ＺｉｇＢｅｅ等）又は有線（例えば、ＵＳＢ若しくはイーサネット）であり得る。ＮＦＣの場合、例えば、基地局１０２は、ＩＳＯ／ＩＥＣ  １４４４３、ＦｅｌｉＣａ、ＩＳＯ／ＩＥＣ  １８０９２、及びＮＦＣフォーラムによって定義されたもの等の１つ又は２つ以上の標準規格を使用して、別のデバイス、例えば、電子デバイス１０４の無線送受信機と通信するように構成された無線送受信機を含み得る。通信インターフェース１３８は、所望される通信範囲を提供するように選択され得る。一部の実施形態では、Ｂｌｕｅｔｏｏｔｈ（例えば、５〜１０メートルの範囲を有するクラス２  Ｂｌｕｅｔｏｏｔｈ）は、基地局１０２が通信しているデバイス、例えば、電子デバイス１０４からある程度離れたままであることを可能にし、一方で同時に手術中に使用されることが好ましくない他の電子デバイスが不必要に関与されないように通信範囲を制限するように、通信インターフェース１３８のために使用され得る。
【００６３】
通信インターフェース１３８は、電力トランスミッタ１４０と統合されるか、又はそれに連結され得、それにより、情報が、基地局１０２によって受信及び／又は送信される無線電力信号内に埋め込まれるか、又はコード化され得る。例えば、上方は、周波数変調、周波数領域多重化、周波数偏移変調、振幅変調、位相変調、アナログ若しくはデジタル変調技術、及び／又はそれらの組み合わせを使用して、無線電力信号内の情報をコード化することによって、基地局１０２に、又はそれから通信され得る。通信インターフェース１３８は、電力信号から情報を抽出するか、又は電力信号に情報を埋め込むためのフィルタ若しくは他の回路要素を含み得る。
【００６４】
電力トランスミッタ１４０は、例えば、図５〜図７に関して以下に詳述されるように、電子デバイス１０４に無線電力を送信するように構成され得る。
【００６５】
上記の構成要素の内の任意の１つ又は２つ以上が、基地局１０２から省略され得ること、及び基地局が、図４に示されるものよりも多くの構成要素を含み得ることが理解されるであろう。
【００６６】
図５〜図７は、基地局１０２から電子デバイス１０４、又は、一部の実施形態において、電子デバイスから基地局に電力を無線伝送するために使用され得る例示的なシステムを図示する。誘導性無線電力伝送スキーム、容量性無線電力伝送スキーム、及び超音波無線電力伝送スキームが、以下に説明され、電磁放射、共振誘導連結、磁気力学連結、マイクロ波、無線波、レーザ、赤外線又は可視光波等の他のスキームが使用され得ることが理解されるであろう。システム１００が、これらのスキームの複数を用い、互いとの組み合わせで、又は選択可能な代替として、動作し得ることが更に理解されるであろう。
【００６７】
図５は、基地局１０２の電力トランスミッタ１４０が電子デバイス１０４の電力レシーバ１３０に電力を提供するために誘導性連結を使用する、例示的な電力伝送スキームを図示する。
【００６８】
示されるように、基地局１０２は、電源１３６によって提供されるＤＣ入力をＡＣ信号に変換するインバータ１４２を概して含み、ＡＣ信号が、次に、振動磁界を発生させるために一次コイル１４４に印加される。電子デバイス１０４は、ＡＣ信号が一次コイル１４４で発生した磁界によって誘導される二次コイル１４６を含む。ＡＣ信号は、整流器１４８によってＤＣ出力に変換され、これは、プロセッサ１２２、メモリ１２４、通信インターフェース１２８、若しくは電子デバイス１０４の他の構成要素に給電するか、又は電子デバイスのバッテリ１２６を充電するために使用され得る。基地局１０２が、ＡＣ主電流又は他のＡＣ電源に連結されるとき、インバータ１４２は、省略可能であり、ＡＣ電力は、一次コイル１４４に直接印加され得る。電子デバイス１０４及び／又は基地局１０２は、電圧を上昇若しくは低下させるための変圧器、又は電力調節、分圧、電圧調整等のための様々な他の回路要素を含み得る。
【００６９】
図６は、基地局１０２の電力トランスミッタ１４０が電子デバイス１０４の電力レシーバ１３０に電力を提供するために容量性連結を使用する、例示的な電力伝送スキームを図示する。
【００７０】
示されるように、基地局１０２は、概して、電子デバイス１０４の１つ又は２つ以上の対応する電極１５２に近接して、又はそれと整列して位置決めされ得る、１つ又は２つ以上の電極１５０を含む。電源１３６によって提供されるＤＣ入力は、インバータ１４２によってＡＣ信号に変換され得、これが、次に、基地局１０２の電極１５０に印加される。ＡＣ信号が各電極１５０に印加されるとき、電界が、電極と電子デバイス１０４内のその相手電極１５２との間に形成し、コンデンサを効果的に形成する。ＡＣ信号は、静電容量によって電子デバイス１０４の電極１５２で形成され、これは、その後、整流器１４８によってＤＣ出力に変換され、これは、プロセッサ１２２、メモリ１２４、通信インターフェース１２８、若しくは電子デバイス１０４の他の構成要素に給電するか、又は電子デバイスのバッテリ１２６を充電するために使用され得る。基地局１０２が、ＡＣ主電流又は他のＡＣ電源に連結されるとき、インバータ１４２は、省略可能であり、ＡＣ電力は、電極１５０に直接印加され得る。電子デバイス１０４及び／又は基地局１０２は、電圧を上昇若しくは低下させるための変圧器、又は電力調節、分圧、電圧調整等のための様々な他の回路要素を含み得る。
【００７１】
図７は、基地局１０２の電力トランスミッタ１４０が電子デバイス１０４の電力レシーバ１３０に電力を提供するために超音波を使用する、例示的な電力伝送スキームを図示する。
【００７２】
示されるように、基地局１０２は、電源１３６によってそこに印加された電位に応答して機械的な波を放射するように構成されたトランスデューサを概して含む。トランスデューサは、圧電素子又は水晶振動子１５４を含む。圧電素子１５４は、単一素子であってもよく、又は素子の位相アレイであってもよい。圧電素子１５４は、整合層１５６によって基地局シャーシの外壁に連結され得る。整合層１５６は、圧電素子１５４と無菌包装１０６との間のインピーダンス不整合、基地局１０２及び電子デバイス１０４と、基地局及び電子デバイスの外壁との間の空隙を低減又は排除することによって超音波伝送を改善するように構成され得る。圧電素子１５４はまた、圧電素子を支持及び減衰させるために、バッキング層１５８に装着され得る。
【００７３】
電子デバイス１０４は、基地局１０２のトランスデューサによって発生した超音波によって励起されたとき、電位を生成するように構成されたトランスデューサを含み得る。電子デバイス１０４のトランスデューサは、整合層１６０、圧電素子１６２、及びバッキング層１６４を含む、基地局１０２のトランスデューサの特徴のいずれかを含み得る。電子デバイス１０４のトランスデューサで発生した出力電圧は、整流器１４８によって整流され、かつプロセッサ１２２、メモリ１２４、通信インターフェース１２８、若しくは電子デバイスの他の構成要素に給電するか、又は電子デバイスのバッテリ１２６を充電するために使用され得る。電子デバイス１０４及び／又は基地局１０２は、電圧を上昇若しくは低下させるための変圧器、又は電力調節、分圧、電圧調整等のための様々な他の回路要素を含み得る。
【００７４】
超音波電力伝送は、電子デバイスがより長い距離で無線給電されることを有利に可能にし、トランスミッタとレシーバとの間の位置ずれに対してより寛容であり得る。超音波はまた、単一基地局を同時に使用して複数の電子デバイスに電力を伝送するためにも使用され得る。
【００７５】
一部の実施形態では、無線電力は、基地局１０２以外の電源から電子デバイス１０４の電力レシーバ１３０に伝送され得る。
【００７６】
一部の実施形態では、電力レシーバ１３０は、太陽又は他の光源からの光エネルギーを、電子デバイス１０４に給電するための電流に変換するように構成された、光電池等の太陽光又は光基盤充電ユニットを含み得る。無菌容器１０６の少なくとも一部分は、透明、半透明、又はそうでなければ無菌容器を通して電子デバイス１０４の電力レシーバ１３０への光の通過を可能にするように構成され得る。例えば、無菌容器１０６は、無菌容器内に収容された電子デバイス１０４の電力レシーバ１３０と整列された透明又は半透明の窓を含み得る。基地局１０２は、無菌容器１０６を通して電子デバイス１０４の電力レシーバ１３０に光エネルギーを送達するように構成された光源を含み得る。
【００７７】
図８は、電子デバイス１０４内に含まれ得るバッテリ充電回路の例示的な実施形態を図示する。示されるように、電力レシーバ１３０のＡＣ出力（例えば、コイル、電極、及び／又はトランスデューサ）は、全波整流器１４８に印加され得ることで、ＡＣ出力を定極性信号に変換し、これは、その後、電気エネルギーを貯蔵するように構成された１つ又は２つ以上のコンデンサ１６６に印加され、電子デバイス１０４のバッテリ１２６内に電力を緩やかに放出することでバッテリを充電する。図示された回路は、有利には、より高い平均出力電圧を得ることができ、より均質かつ効率的なバッテリの充電を提供することができる。図示された回路は、上記の電力伝送スキームのいずれかと共に使用され得る。
【００７８】
図９〜図１０は、電子デバイス１０４内に含まれ得るスイッチング回路の例示的な実施形態を図示する。スイッチング回路は、第１の動作モードと第２の動作モードとの間で回路を変更するように構成されたスイッチ１６８を含み得る。
【００７９】
図９に示されるように、スイッチ１６８は、第１の動作モード内に回路を配置する第１の位置に配設され得る。第１の動作モードでは、電力レシーバ１３０からの電力が、スイッチ１６８を通して電子デバイス１０４のプロセッサ１２２に供給され、電子デバイスの動作又はプログラミングを可能にする。電力レシーバ１３０からの電力はまた、スイッチ１６８を通してリレー、トランジスタ、又は制御線１７２を介してプロセッサ１２２によって選択的に作動され得る他のスイッチ１７０にも供給される。プロセッサ１２２は、バッテリが充電され得るように、電力レシーバ１３０からの電力がバッテリ１２６までリレーを通過することを可能にするようにリレー１７０を作動し得る。プロセッサ１２２はまた、電力レシーバからバッテリ１２６を遮断するようにリレー１７０を作動し得る（例えば、バッテリが完全に充電されたとき）。電子デバイス１０４は、バッテリ１２６の充電レベルを検出するための検知回路を含み得、プロセッサ１２２は、バッテリ電荷が所定閾値レベルよりも小さいことを検知回路が判定したとき、バッテリが電力レシーバ１３０から充電されることを可能にするようにリレー１７０を自動的に切り替えるように構成され得る。例えば、電子デバイス１０４は、プロセッサ１２２がバッテリ電圧を読み取り、これによってバッテリ１２６の充電レベルを検出することを可能にする分圧器１７４を含み得る。
【００８０】
図１０に示されるように、スイッチ１６８は、第２の動作モード内に回路を配置する第２の位置に配設され得る。第２の動作モードでは、電力レシーバ１３０は、プロセッサ１２２、バッテリ１２６、及び電子デバイス１０４の他の構成要素から遮断される。加えて、バッテリ１２６からの電力が、スイッチ１６８を通してプロセッサ１２２に供給され、電子デバイス１０４の動作又はプログラミングを可能にする。プロセッサ１２２は、例えば、分圧器１７４を介してバッテリ電荷を監視することを継続し、バッテリ電荷が所定の閾値よりも小さく低下したときに、ユーザに対する通知をトリガし得る。
【００８１】
スイッチ１６８は、ユーザによって作動される（例えば、電子デバイス１０４がその無菌包装１０６から最初に取り外されたとき、又は電子デバイスが、使用される準備ができているとき）手動スイッチであり得る。スイッチ１６８はまた、トリガイベント（例えば、電子デバイス１０４のその無菌包装１０６からの取り外し）の発生に際して自動的にしたときに自動的にトグルで切り替わるように構成された自動スイッチであり得る。例示的なスイッチは、トグルスイッチ、押しボタンスイッチ、圧力スイッチ、近接スイッチ、温度スイッチ等を含む。電子デバイス１０４は、第１の動作モードにトグルで切り替えられたスイッチ１６８を伴って製造者又は他の発送元から発送され得、それにより、電子デバイスは、電子デバイスをその無菌包装１０６から取り外すことなく、又はそうでなければスイッチをトグルで切り替えることなく、無線給電及び／又は充電され得る。一度、電子デバイス１０４がその無菌包装１０６から取り外され、処置で使用されるように準備がなされるか、又は任意の他の所望されるときに、スイッチ１６８は、デバイスがその内部バッテリ１２６によって給電されることを可能にするように第２の動作モードにトグルで切り替えられ得る。
【００８２】
本明細書に説明されるシステムは、医療処置、外科的処置、又は他の処置を容易化するために様々な方式で使用され得る。
【００８３】
一部の実施形態では、無菌包装された電子デバイスは、基地局上又はその近くに位置決めされ得、電力は、基地局から電子デバイスに無線で伝送され得る。無線電力が電子デバイスに印加されたとき、電力は、電子デバイスの内蔵バッテリを充電するために使用され得る。したがって、電子デバイスのバッテリは、電子デバイスの無菌包装を開封することなく、処置を見込んで完全に充電され得る。
【００８４】
一部の実施形態では、無菌包装された電子デバイスは、基地局上又はその近くに位置決めされ得、電力は、基地局から電子デバイスに無線で伝送され得る。無線電力が電子デバイスに印加されるとき、電子デバイスのプロセッサは、自動的に起動して電子デバイスのバッテリを電力レシーバに選択的に連結し得ることで、バッテリを充電する（例えば、バッテリの検出された充電レベルに基づいて）。
【００８５】
一部の実施形態では、無菌包装された電子デバイスは、基地局上又はその近くに位置決めされ得、電力は、基地局から電子デバイスに無線で伝送され得る。無線電力が電子デバイスに印加されるとき、電子デバイスのプロセッサは、自動的に起動して電子デバイスの通信インターフェースを有効化し得る。電子デバイスは、その後、基地局又は一部の他の外部デバイスと通信し得る。
【００８６】
通信は、処置についてデバイスを事前プログラムするために患者データを電子デバイスに転送することを含み得る。
【００８７】
通信は、処置についてデバイスを事前プログラムするために処置特有データ（例えば、術前計画又は外科的矯正情報）を電子デバイスに転送することを含み得る。
【００８８】
通信は、電子デバイスにオペレーティングソフトウェア又はファームウェアを転送することを含み得る（例えば、電子デバイスのプログラミングのフィールドアップグレードのために）。
【００８９】
通信は、電子デバイスのプロセッサによって診断ルーチンを実行すること、及び診断ルーチンの結果を基地局又は別の外部デバイスに転送することを含み得る。
【００９０】
通信は、電子デバイスの識別情報を基地局又は別の外部デバイスに転送することを含み得る。
【００９１】
基地局は、電子デバイスが無菌容器から取り外された後に電子デバイスと通信するために使用され得る。例えば、基地局は、医療処置が実施された後に電子デバイスと通信し得る。基地局は、処置中に取り込まれた測定値、システム診断レポート、及び／又は他の情報を電子デバイスからダウンロードし得る。通信用の電力は、無線で提供され得、これは、設置されている電子デバイスのバッテリの有無にかかわらず通信を行うことを可能にすることができる。
【００９２】
上記の方法のいずれかが実施される前、又は任意の他の所望されるときに、電子デバイスは、無菌化されるか又は無菌容器内で密封され得る。上記の方法のいずれかが実施された後、又は任意の所望されるときに、電子デバイスは、医療処置、外科的処置、又はいくつかの他の処置で使用され得る。
【００９３】
本明細書に開示されるシステム及び方法は、少なくとも一部の実施形態において、多くの利点を提供し得る。例えば、電子デバイスを無線充電する方式を提供することによって、デバイスのバッテリをより小さくすることができ、電子デバイスのサイズ及び／又は重量が低減され得る。別の例として、外科医は、術前計画ソフトウェアを使用し、その後、無菌包装された電子デバイスに情報をダウンロードすることができ、電子デバイスが、その後、手術室に持ち込まれ、標準的予防策を使用して開封され、完全に充電され、かつデータを含んで無菌現場に送達されて、所望される処置を実施する。
【００９４】
本明細書に開示されるシステム及び方法は、電子デバイスへのデータ（患者、製品、又はその他）の転送能力を提供し得るが、一方でデバイスは、無菌包装を破るか、又は包装されたバッテリを放電することなく、依然として無菌包装されている。これは、デバイスの手術室プログラミングの必要性を低減し得、これは、手術室でのスピード及び流れを改善し得る。これはまた、包装の完全性を損なうことなく、患者特有データが「ユニバーサル」電子デバイスに入力されることを可能にし得る。
【００９５】
本明細書に開示されるシステム及び方法は、事前包装された無菌電子デバイスの充電／給電が、使用のために準備ができていることを確実にし得る。バッテリ移載及びバッテリ寿命は、無菌現場内で利用される任意の電子デバイスに関する頻繁な課題であり得る。デバイスが手術室内で使用する前に完全に充電されることを確実にする手段を有することは、フラストレーションを防止し、スピード及び使用の容易さを改善し得る。
【００９６】
一部の事例では、電子デバイスが、識別及び較正のために無菌現場の外側で給電されることが望しくあり得る。本明細書に開示されるシステム及び方法は、無菌性を維持することができる、一方で処置の十分に前にデバイス設定を依然として可能にする。デバイスが手術室内で使用する前に設定及び較正されることを確実にする手段を有することは、創傷曝露時間を短縮し、ステップ数を減少させ、設定エラーを減少させ、フラストレーションを減少させ、かつ使用のスピード及び容易さを改善し得る。
【００９７】
本明細書に開示されるシステム及び方法は、接続及び較正のためにオンにされた後に手術室のバックテーブル上の無菌デバイスの充電を可能にし得る。このようなシステムは、一部の実施形態では、デバイスが無菌現場内に持ち込まれたときのみ、リレー又は他のデバイスを通してバッテリ電力に切り替わり得る。これは、デバイス使用時間、バッテリ寿命、及び長期若しくは異常な外科的場面のための電力管理を改善し得る。
【００９８】
本明細書に開示されるシステム及び方法は、包装が在庫として受け入れられる前に、ＯＥＭからの無菌完成包装の受入検査に使用され得る。言い換えると、システム及び方法は、デバイスがユーザに配送される前に、任意の誤動作について無菌包装内のデバイスを迅速に試験することを可能にし得、起動時の不良率を改善し得る。
【００９９】
医療処置及び外科的処置での使用が、本明細書で概して考慮されたが、本明細書のシステム及び方法が、様々な非医療処置及び／又は非外科的処置のいずれにも使用され得ることが理解されるであろう。
【０１００】
上記の説明若しくは添付図面において表現されるか、又は示唆された方法ステップの任意の順序が、その順序でステップを実施することに開示された方法を限定するものと解釈すべきではないことに留意すべきである。むしろ、本明細書で開示された方法のそれぞれの様々なステップは、任意の様々な順序で行うことができる。更に、説明された方法は、単に例示的な実施形態であって、追加のステップを含む、又はより少ないステップを含む様々な他の方法も、本発明の範囲内である。
【０１０１】
以上、特定の実施形態を参照して本発明を説明したが、記載された発明の概念の趣旨及び範囲内で多くの変更がなされ得る点を理解されたい。したがって、本発明は記載された実施形態に限定されるものではなく、むしろ、以下の「特許請求の範囲」の文言によって定義される完全な範囲を有するものとする。
【０１０２】
〔実施の態様〕
（１）  外科的方法であって、
外科用電子デバイスの電力レシーバを基地局の電力トランスミッタと整列させることと、
前記電子デバイスが配設される無菌容器を通して、前記電力トランスミッタから前記電力レシーバに電力を無線伝送することと、
無線電力の受信に際して、前記基地局との通信を自動的に開始することと、
前記基地局から前記電子デバイスに医療データを無線通信することと、を含む、方法。
（２）  前記外科用電子デバイスは、器具及びインプラントのうちの少なくとも一方を備える、実施態様１に記載の方法。
（３）  前記電力レシーバを整列させることは、前記基地局上に形成された図形マークを、前記無菌容器上に形成された対応する図形マークと整列させることを含む、実施態様１に記載の方法。
（４）  前記電力レシーバを前記電力トランスミッタと整列させることは、前記無菌容器を、前記基地局内に画定された凹部内に位置決めすることを含む、実施態様１に記載の方法。
（５）  前記無菌容器は、前記電力レシーバを、前記無菌容器に対して定位置に維持するように構成されている、実施態様１に記載の方法。
【０１０３】
（６）  前記無菌容器は、前記電子デバイスが配設されている内側ブリスタパックと、前記内側ブリスタパックが配設されている外側ブリスタパックと、前記外側ブリスタパックが配設されている外箱と、を備える、実施態様１に記載の方法。
（７）  前記デバイスが使用の準備ができているとき、バッテリ電力に切り替えることを更に含む、実施態様１に記載の方法。
（８）  前記切り替えることは、前記電子デバイスが前記無菌容器から取り外されたとき、自動的に起こる、実施態様７に記載の方法。
（９）  前記医療データは、患者特有データ、手術計画、外科的矯正情報、及びデバイス較正情報のうちの少なくとも１つを含む、実施態様１に記載の方法。
（１０）  デバイスデータを前記電子デバイスから前記基地局に通信することを更に含む、実施態様１に記載の方法。
【０１０４】
（１１）  前記デバイスデータは、デバイス識別情報、デバイス診断情報、及びデバイス充電レベル情報のうちの少なくとも１つを含む、実施態様１０に記載の方法。
（１２）  前記電力を伝送することは、前記電子デバイスのバッテリを充電するために有効である、実施態様１に記載の方法。
（１３）  前記電力を伝送することは、前記基地局の超音波トランスデューサを駆動して、前記電子デバイスの超音波トランスデューサで受信される超音波を発生させることを含む、実施態様１に記載の方法。
（１４）  前記電力を伝送することは、前記電力トランスミッタの一次コイルと前記電力レシーバの二次コイルとの間で磁界を発生させることを含む、実施態様１に記載の方法。
（１５）  前記電力を伝送することは、前記電力トランスミッタの電極と前記電力レシーバの電極との間で電界を発生させることを含む、実施態様１に記載の方法。
【０１０５】
（１６）  前記電力トランスミッタは、光源を備え、前記電力を伝送することは、前記光源から前記無菌容器を通して前記電子デバイスの光電池に光を方向付けることを含む、実施態様１に記載の方法。
（１７）  前記伝送するステップ及び前記通信するステップの後に、前記無菌容器を開封することと、外科的処置で前記電子デバイスを使用することと、を更に含む、実施態様１に記載の方法。
（１８）  前記電子デバイスは、前記電子デバイスの位置又は配向を検知するように構成されたセンサを備える、実施態様１に記載の方法。
（１９）  前記電力レシーバで受信されたＡＣ信号を全波整流器で整流することと、前記電子デバイスのバッテリと並列に配線された前記電子デバイスのコンデンサに前記信号を印加して、前記バッテリを充電することと、を更に含む、実施態様１に記載の方法。
（２０）  外科的処置中に捕捉された測定値又は他のデータを、前記外科的処置が実施された後に、前記電子デバイスから前記基地局に無線通信することを更に含む、実施態様１に記載の方法。
【０１０６】
（２１）  システムであって、
電子デバイスであって、無線電力レシーバ、及び前記電子デバイスの位置又は配向を検出するように構成されたセンサを有する、電子デバイスと、
無菌容器であって、無菌デバイスが前記無菌容器によって完全に囲まれるように、前記電子デバイスが配置されている、無菌容器と、
無線電力トランスミッタを有する基地局であって、前記電力トランスミッタが、前記無菌容器を通して、前記電子デバイスの前記無線電力レシーバに電力を伝送するように構成されている、基地局と、を備える、システム。
（２２）  前記電子デバイスは、器具及びインプラントのうちの少なくとも一方を備える、実施態様２１に記載のシステム。
（２３）  前記無菌容器は、前記電力レシーバに対して位置決めされた図形マークを含み、それにより、前記無菌容器の前記図形マークが、前記基地局の図形マークと整列されたとき、前記電力レシーバが、前記電力トランスミッタと整列される、実施態様２１に記載のシステム。
（２４）  前記基地局は、前記電力トランスミッタに対して位置決めされる凹部を含み、それにより、前記無菌容器が前記凹部に着座されたとき、前記電力トランスミッタが、前記電力レシーバと整列される、実施態様２１に記載のシステム。
（２５）  前記無菌容器は、前記電力レシーバを前記無菌容器に対して定位置に維持するように構成されている、実施態様２１に記載のシステム。
【０１０７】
（２６）  前記無菌容器は、前記電子デバイスが配設されている内側ブリスタパックと、前記内側ブリスタパックが配設されている外側ブリスタパックと、前記外側ブリスタパックが配設されている外箱と、を備える、実施態様２１に記載のシステム。
（２７）  前記電子デバイスは、前記電子デバイスが前記電力レシーバによって給電される第１の動作モードと、前記電子デバイスが内部バッテリによって給電される第２の動作モードとの間で切り替えるように構成されたスイッチを含む、実施態様２１に記載のシステム。
（２８）  前記スイッチは、前記電子デバイスが前記無菌容器から取り外されたとき、自動的に前記第１の動作モードから前記第２の動作モードに切り替えるように構成されている、実施態様２７に記載のシステム。
（２９）  前記基地局は、医療データを前記電子デバイスの通信インターフェースに無線送信するように構成された通信インターフェースを含み、前記医療データが、患者特有データ、手術計画、外科的矯正情報、及びデバイス較正情報のうちの少なくとも１つを含む、実施態様２１に記載のシステム。
（３０）  前記電子デバイスは、デバイスデータを前記基地局の通信インターフェースに無線送信するように構成された通信インターフェースを含み、前記デバイスデータが、デバイス識別情報、デバイス診断情報、及びデバイス充電レベル情報のうちの少なくとも１つを含む、実施態様２１に記載のシステム。
【０１０８】
（３１）  前記電力トランスミッタは、前記電力レシーバの超音波トランスデューサで受信される超音波を発生させて、前記基地局から前記電子デバイスに電力を無線伝送するように構成された超音波トランスデューサを備える、実施態様２１に記載のシステム。
（３２）  前記電力トランスミッタは、一次コイルを備え、前記一次コイルは、前記一次コイルと前記電力レシーバの二次コイルとの間に磁界を発生させて、前記基地局から前記電子デバイスに電力を無線伝送するように構成されている、実施態様２１に記載のシステム。
（３３）  前記電力トランスミッタは、電極を備え、前記電極は、前記電極と前記電力レシーバの電極との間に電界を発生させ、前記基地局から前記電子デバイスに電力を無線伝送するように構成されている、実施態様２１に記載のシステム。
（３４）  前記電力レシーバは、前記電力レシーバで受信されたＡＣ信号を整流し、かつ前記信号を前記電子デバイスのバッテリと並列に配線された前記電子デバイスのコンデンサに印加して、前記バッテリを充電する、全波整流器を備える、実施態様２１に記載のシステム。
【図１】
2019510450.tif 000003
【図２】
2019510450.tif 000004
【図３】
2019510450.tif 000005
【図４】
2019510450.tif 000006
【図５】
2019510450.tif 000007
【図６】
2019510450.tif 000008
【図７】
2019510450.tif 000009
【図８】
2019510450.tif 000010
【図９】
2019510450.tif 000011
【図１０】
2019510450.tif 000012
【国際調査報告】
2019510450.tif 000013
2019510450.tif 000014
2019510450.tif 000015